(57)【要約】【課題】ＵＴＲＡＮの関与するネットワークエレメントが、サービス品質管理の実施に必要なトランスポートサービス品質の制約を決定することを可能にする、移動無線ネットワークにおけるサービス品質の管理方法を提供する。【解決手段】この方法は、第一のネットワークエレメントが、第二のネットワークエレメントに、無線ネットワーク層の信号プロトコルにより、トランスポートネットワーク層のためのサービス品質を示す少なくとも一つのパラメータを知らせるステップと、第二のネットワークエレメントが、トランスポートネットワーク層に関連するサービス品質の管理のために、前記少なくとも一つのパラメータを用いるステップとを含む。【選択図】      図１
2004254301.tif 000002
【特許請求の範囲】
【請求項１】
移動無線ネットワークにおけるサービス品質の管理方法であって、地上インターフェースにおける通信プロトコルが、無線ネットワーク層と、トランスポートネットワーク層とを含み、サービス品質の管理が、無線ネットワーク層に関連するサービス品質の管理と、トランスポートネットワーク層に関連するサービス品質の管理とを含んでおり、前記方法が、
第一のネットワークエレメントが、第二のネットワークエレメントに、無線ネットワーク層の信号プロトコルにより、トランスポートサービス品質、すなわちトランスポートネットワーク層のためのサービス品質を示す少なくとも一つのパラメータを知らせるステップと、
第二のネットワークエレメントが、トランスポートサービス品質の管理のために前記少なくとも一つのパラメータを用いるステップとを含む、方法。
【請求項２】
前記第一のネットワークエレメントが、ＣＲＮＣ（Ｃｏｎｔｒｏｌｌｉｎｇ  Ｒａｄｉｏ  Ｎｅｔｗｏｒｋ  Ｃｏｎｔｒｏｌｌｅｒ）である、請求項１に記載の方法。
【請求項３】
前記第二のネットワークエレメントが、ノードＢ、すなわち基地局である、請求項２に記載の方法。
【請求項４】
前記無線ネットワーク層の信号プロトコルが、ＣＲＮＣとノードＢとの間のＩｕｂインターフェースに適用可能なＮＢＡＰ（Ｎｏｄｅ  Ｂ  Ａｐｐｌｉｃａｔｉｏｎ  Ｐａｒｔ  Ｐｒｏｔｏｃｏｌ）信号プロトコルである、請求項２または３に記載の方法。
【請求項５】
前記第二のネットワークエレメントが、アップリンク伝送のために、ＣＲＮＣとノードＢとの間のＩｕｂインターフェースで前記少なくとも一つのトランスポートサービス品質の管理パラメータを使用する、請求項２から４のいずれか一項に記載の方法。
【請求項６】
前記第一のネットワークエレメントが、ＳＲＮＣ（Ｓｅｒｖｉｎｇ  Ｒａｄｉｏ  Ｎｅｔｗｏｒｋ  Ｃｏｎｔｒｏｌｌｅｒ）である、請求項１に記載の方法。
【請求項７】
前記第二のネットワークエレメントが、ＤＲＮＣ（Ｄｒｉｆｔ  Ｒａｄｉｏ  Ｎｅｔｗｏｒｋ  Ｃｏｎｔｒｏｌｌｅｒ）である、請求項６に記載の方法。
【請求項８】
前記無線ネットワーク層の信号プロトコルが、ＳＲＮＣとＤＲＮＣとの間のＩｕｒインターフェースに適用可能なＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）信号プロトコルである、請求項６または７に記載の方法。
【請求項９】
前記第二のネットワークエレメントが、アップリンク伝送のためにＳＲＮＣとＤＲＮＣとの間のＩｕｒインターフェースｌｕｒで、および／または、ダウンリンク伝送のためにＤＲＮＣとノードＢとの間のＩｕｂインターフェースで、前記少なくとも一つのトランスポートサービス品質の管理パラメータを使用する、請求項６から８のいずれか一項に記載の方法。
【請求項１０】
前記トランスポートサービス品質を示す少なくとも一つのパラメータが、トランスポートサービス品質レベルを示すように構成された特定のパラメータである、請求項１から９のいずれか一項に記載の方法。
【請求項１１】
前記トランスポートサービス品質を示す少なくとも一つのパラメータが、トランスポートサービス品質のパラメータとして同様に使用可能な少なくとも一つのＲＡＢ（Ｒａｄｉｏ  Ａｃｃｅｓｓ  Ｂｅａｒｅｒ）パラメータである、請求項１から９のいずれか一項に記載の方法。
【請求項１２】
前記トランスポートサービス品質パラメータとして同様に使用可能な少なくとも一つのＲＡＢ（Ｒａｄｉｏ  Ａｃｃｅｓｓ  Ｂｅａｒｅｒ）パラメータが、転送遅延である、請求項１１に記載の方法。
【請求項１３】
前記トランスポートサービス品質パラメータとして同様に使用可能な少なくとも一つのＲＡＢ（Ｒａｄｉｏ  Ａｃｃｅｓｓ  Ｂｅａｒｅｒ）パラメータが、トラフィック優先制御である、請求項１１に記載の方法。
【請求項１４】
前記トランスポートサービス品質パラメータとして同様に使用可能な少なくとも一つのＲＡＢ（Ｒａｄｉｏ  Ａｃｃｅｓｓ  Ｂｅａｒｅｒ）パラメータが、トラフィック分類である、請求項１１に記載の方法。
【請求項１５】
前記トランスポートサービス品質パラメータとして同様に使用可能な少なくとも一つのＲＡＢ（Ｒａｄｉｏ  Ａｃｃｅｓｓ  Ｂｅａｒｅｒ）パラメータが、ＲＡＮＡＰプロトコルからＮＢＡＰプロトコルへ、またはＲＡＮＡＰプロトコルからＲＮＳＡＰプロトコルへ、コピーまたは翻訳される、請求項１１から１４のいずれか一項に記載の方法。
【請求項１６】
前記トランスポートサービス品質を示す少なくとも一つのパラメータが、トランスポートサービス品質レベルに、またはトランスポートサービス品質パラメータとして同様に使用可能な少なくとも一つのＲＡＢ（Ｒａｄｉｏ  Ａｃｃｅｓｓ  Ｂｅａｒｅｒ）パラメータに、結合可能な少なくとも一つのパラメータである、請求項１から９のいずれか一項に記載の方法。
【請求項１７】
トランスポートサービス品質レベルに、またはトランスポートサービス品質パラメータとして同様に使用可能な少なくとも一つのＲＡＢ（Ｒａｄｉｏ  Ａｃｃｅｓｓ  Ｂｅａｒｅｒ）パラメータに、結合可能な前記少なくとも一つのパラメータが、時間調整パラメータであり、該時間調整パラメータの最低値は、転送遅延および／またはトラフィック優先制御の制約が最も多い接続に割り当てられ、該時間調整パラメータの最高値は、転送遅延および／またはトラフィック優先制御の制約が最も多い接続に割り当てられる、請求項１６に記載の方法。
【請求項１８】
前記時間調整パラメータが、ＴＯＡＷＳ（Ｔｉｍｅ  Ｏｆ  Ａｒｒｉｖａｌ  Ｗｉｎｄｏｗ  Ｓｔａｒｔ）パラメータである、請求項１７に記載の方法。
【請求項１９】
トランスポートサービス品質レベルに、またはトランスポートサービス品質パラメータとして同様に使用可能な少なくとも一つのＲＡＢ（Ｒａｄｉｏ  Ａｃｃｅｓｓ  Ｂｅａｒｅ」）パラメータに、結合可能な前記少なくとも一つのパラメータが、一つの接続に割り当てられる専用チャンネル（ＤＣＨ、Ｄｅｄｉｃａｔｅｄ  Ｃｈａｎｎｅｌ）数を示す少なくとも一つのパラメータを含み、数の多い専用チャンネルが、転送遅延および／またはトラフィック優先制御の制約の多い接続に割り当てられ、数の少ない専用チャンネルが、転送遅延および／またはトラフィック優先制御の制約の少ない接続に割り当てられる、請求項１６に記載の方法。
【請求項２０】
請求項１から１９のいずれか一項に記載の方法の実施手段を含む、ネットワークエレメント。
【請求項２１】
ＣＲＮＣの形態である、請求項２０に記載のネットワークエレメント。
【請求項２２】
ＳＲＮＣの形態である、請求項２０に記載のネットワークエレメント。
【請求項２３】
ＤＲＮＣの形態である、請求項２０に記載のネットワークエレメント。
【請求項２４】
ノードＢの形態である、請求項２０に記載のネットワークエレメント。
【発明の詳細な説明】
【技術分野】
【０００１】
本発明は、一般に、移動無線システムに関する。
【０００２】
本発明は、特に、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）タイプの第三世代の移動無線システムに適用可能である。
【背景技術】
【０００３】
一般に、移動無線システムは規格化の対象とされており、さらに詳細な情報については、対応する規格化組織により発行されている対応規格を参照することができる。
【０００４】
これらのシステムの一般的なアーキテクチャを図１に示した。これは、主に、無線アクセスネットワーク１、すなわちＲＡＮ（Ｒａｄｉｏ  Ａｃｃｅｓｓ  Ｎｅｔｗｏｒｋ）と、コアネットワーク４、すなわちＣＮ（Ｃｏｒｅ  Ｎｅｔｗｏｒｋ）とを含む。
【０００５】
ＲＡＮは、基地局２および基地局コントローラ３等のネットワークエレメントを含む。ＲＡＮは、インターフェース６を介して移動端末５と通信する一方で、インターフェース７を介してＣＮ４と通信する。ＣＮ４は、外部ネットワークに接続される（特に図示せず）。ＲＡＮの内部では、基地局が、インターフェース８を介して基地局コントローラと通信する。
【０００６】
ＵＭＴＳタイプのシステムでは、ＲＡＮは、ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）と呼ばれ、基地局は「ノードＢ」、基地局コントローラは、ＲＮＣ（Ｒａｄｉｏ  Ｎｅｔｗｏｒｋ  Ｃｏｎｔｒｏｌｌｅｒ）、移動端末は、ＵＥ（Ｕｓｅｒ  Ｅｑｕｉｐｍｅｎｔ）と呼ばれる。インターフェース６は、「Ｕｕインターフェース」、インターフェース７は、「Ｉｕインターフェース」、インターフェース８は、「Ｉｕｂインターフェース」とそれぞれ呼ばれ、「Ｉｕｒインターフェース」とも呼ばれるＲＮＣ間のインターフェース９が、さらに導入されている。インターフェース６は、また、無線インターフェースとも呼ばれ、インターフェース７、８、９は、地上インターフェースとも呼ばれる。
【０００７】
所定のノードＢに対して、このノードを制御するＲＮＣは、ＣＲＮＣ（Ｃｏｎｔｒｏｌｌｉｎｇ  Ｒａｄｉｏ  Ｎｅｔｗｏｒｋ  Ｃｏｎｔｒｏｌｌｅｒ）とも呼ばれる。ＣＲＮＣは、制御する各ノードＢに対して無線リソースの割り当ておよび負荷制御の役割を果たす。かくして、図２は、ノードＢの集合を制御するＣＲＮＣと、これらのノードＢによってカバーされるセル（特に図示せず）とを示している。
【０００８】
所定のＵＥに関する所定の呼の場合、考慮された通信を制御する役割をする、ＳＲＮＣ（Ｓｅｒｖｉｎｇ  Ｒａｄｉｏ  Ｎｅｔｗｏｒｋ  Ｃｏｎｔｒｏｌｌｅｒ）が存在する。ＵＥに接続されるが、ＳＲＮＣにより制御されないノードＢは、ＲＮＣを介してＳＲＮＣと通信し、ＲＮＣは、ＤＲＮＣ（Ｄｒｉｆｔ  ＲＮＣ）とも呼ばれ、Ｉｕｒインターフェースを介してＳＲＮＣを制御する。こうした状況は、（限定的ではないが）特に、マクロダイバーシチ（ｓｏｆｔ  ｈａｎｄｏｖｅｒ）伝送の場合に生じる。そのため、図３は、ＵＥを制御し、Ｉｕインターフェースを介してＣＮと通信するＳＲＮＣと、ＤＲＮＣにより制御されるセル（特に図示せず）に対して設定される無線リンクのためにＵＥを制御する、ＤＲＮＣとを示している。
【０００９】
一般に、このようなシステムは、サービス品質（ＱｏＳ、Ｑｕａｌｉｔｙ  ｏｆ  Ｓｅｒｖｉｃｅ）要求が互いに非常に異なりうるトラフィックをサポート可能でなければならない。ＵＭＴＳ等のシステムにおけるサービス品質のアーキテクチャは、３ＧＰＰ（３ｒｄ  Ｇｅｎｅｒａｔｉｏｎ  Ｐａｒｔｎｅｒｓｈｉｐ  Ｐｒｏｊｅｃｔ）が発表した技術仕様書３ＧＰＰ  ＴＳ  ２３．１０７に特に規定されている。このサービス品質アーキテクチャは、サービス品質属性により特徴づけられる媒体サービスに基づいている。特に、「無線アクセス媒体」すなわちＲＡＢ（Ｒａｄｉｏ  Ａｃｃｅｓｓ  Ｂｅａｒｅｒ）サービス、「無線媒体」すなわちＲＢ（Ｒａｄｉｏ  Ｂｅａｒｅｒ）サービス、および「Ｉｕ媒体」サービスといったさまざまな媒体サービスがある。また、特に、トラフィック分類（ｔｒａｆｆｉｃ  ｃｌａｓｓ）、最大ビットレート（ｍａｘｉｍｕｍ  ｂｉｔ  ｒａｔｅ）、保証ビットレート（ｇｕａｒａｎｔｅｅｄ  ｂｉｔ  ｒａｔｅ）、転送遅延（ｔｒａｎｓｆｅｒ  ｄｅｌａｙ）、トラフィック優先制御（ｔｒａｆｆｉｃ  ｈａｎｄｌｉｎｇ  ｐｒｉｏｒｉｔｙ」といった様々なサービス品質属性がある。さらに、それぞれ会話型（ｃｏｎｖｅｒｓａｔｉｏｎａｌ）、ストリーミング型（ｓｔｒｅａｍｉｎｇ）、対話型（ｉｎｔｅｒａｃｔｉｖｅ）、または背景型（ｂａｃｋｇｒｏｕｎｄ）の用途にそれぞれ適用される４つのトラフィック分類がある。トラフィック分類以外のサービス品質属性は、さらに、同一トラフィック分類の様々なサービスのタイプに対して異なる場合がある。たとえば「会話型」トラフィック分類の場合、電話タイプのサービスに対する転送遅延は、テレビ電話タイプのサービスに対する伝送遅延よりも少なく、このテレビ電話タイプのサービスに対する伝送遅延は、それ自体、たとえば「対話型」トラフィック分類に対するＷｅｂブラウジング（Ｗｅｂ  ｂｒｏｗｓｉｎｇ）サービスに対する転送遅延よりも少ない。一般に、転送遅延は、会話型またはストリーミング型のトラフィック分類の場合のみ特定され、トラフィック優先制御は、対話型分類に対してのみ特定される。
【００１０】
一般に、地上インターフェースにおける通信プロトコルに対して一定のモデルが定義されており、地上インターフェースにおけるトランスポートで使用される技術とは無関係に無線アクセスに関連する動作に対応する、無線ネットワーク層（Ｒａｄｉｏ  Ｎｅｔｗｏｒｋ  Ｌａｙｅｒ）と、地上インターフェースにおけるトランスポートで使用される技術に応じてトランスポートに関連する動作に対応する、トランスポートネットワーク層（Ｔｒａｎｓｐｏｒｔ  Ｎｅｔｗｏｒｋ  ｌａｙｅｒ）とを区別する。一般に、ＵＥにより送信または受信されるトラフィックに対応するデータ（またはユーザデータ）と、システムの動作に必要な信号に対応するデータとの２種類のデータ通信が、これらのプロトコルに応じて通信可能である。同様に、無線ネットワーク層に関連する信号と、トランスポートネットワーク層に関連する信号との２種類の信号とがある。
【００１１】
無線ネットワーク層に関連する信号は、特に、アプリケーションプロトコルとも呼ばれる次のプロトコルに対応する。すなわち、Ｉｕインターフェースに対して、例えば３ＧＰＰが発表した技術仕様書３ＧＰＰ  ＴＳ２５．４１３に特に規定されたＲＡＮＡＰ（Ｒａｄｉｏ  Ｎｅｔｗｏｒｋ  Ａｐｐｌｉｃａｔｉｏｎ  Ｐａｒｔ）プロトコルと、Ｉｕｂインターフェースに対して、例えば３ＧＰＰが発表した技術仕様書３ＧＰＰ  ＴＳ２５．４３３に特に規定されたＮＢＡＰ（Ｎｏｄｅ  Ｂ  Ａｐｐｌｉｃａｔｉｏｎ  Ｐａｒｔ）プロトコルと、Ｉｕｒインターフェースに対して、例えば３ＧＰＰが発表した技術仕様書３ＧＰＰ  ＴＳ２５．４２３に特に規定されたＲＮＳＡＰ（Ｒａｄｉｏ  Ｎｅｔｗｏｒｋ  ｓｕｂｓｙｓｔｅｍ  Ａｐｐｌｉｃａｔｉｏｎ  Ｐａｒｔ）プロトコルとである。
【００１２】
ＲＡＮＡＰプロトコルは、無線アクセス媒体（ＲＡＢ、Ｒａｄｉｏ  Ａｃｃｅｓｓ  Ｂｅａｒｅｒ）の設定に関する信号を含む。ＮＢＡＰプロトコルは、ＳＲＮＣにより制御されるセルのための無線リンクの設定に関する信号を含む。ＲＮＳＡＰプロトコルは、ＤＲＮＣにより制御されるセルのための無線リンク設定に関する信号を含む。
【００１３】
一般に、このようなシステムにおけるサービス品質の管理は、地上インターフェースにおけるトランスポートのために使用される技術とは無関係な無線アクセスに関連するサービス品質の管理と、地上インターフェースにおけるトランスポートのために使用される技術に応じるトランスポートに関連するサービス品質の管理とを含む。
【００１４】
無線アクセスに関連するサービス品質の管理は、例えばＵＭＴＳ等のＣＤＭＡ（Ｃｏｄｅ  Ｄｉｖｉｓｉｏｎ  Ｍｕｌｔｉｐｌｅ  Ａｃｃｅｓｓ）タイプのシステムを代表し、無線許可制御、トランスポートチャンネルにおける適切なトランスポートフォーマットの選択などのメカニズムを含む。一般に、上記のアプリケーションプロトコルで定義された信号交換により、ＵＴＲＡＮの関与するネットワークエレメントは、このような無線アクセスに関連するサービス品質の管理メカニズムの実施に必要なサービス品質の制約を決定することができる。無線アクセスに関連するサービス品質管理メカニズムの実施によって影響されるＵＴＲＡＮの主なネットワークエレメントは、ＳＲＮＣの役割を果たすＲＮＣである。実際、（ＲＡＮＡＰプロトコルに従って）ＣＮにより知らされるサービス品質パラメータから、ＳＲＮＣは、どのタイプのサービスが必要であるか決定可能であり、従って、必要な場合には一つまたは複数のＤＲＮＣを介して、これらのサービス品質パラメータを、ノードＢとＵＥとの間の無線リンクの設定に使用可能なパラメータに翻訳し、次いで、これらのパラメータを、関与するネットワークエレメント、すなわち（ＮＢＡＰプロトコルによる場合は）ノードＢに、（ＲＮＳＡＰプロトコルによる場合は）ＤＲＮＣに知らせることができる。
【００１５】
一般に、地上インターフェースでのトランスポートは、パケットモードを用い、これらのインターフェースで利用可能な伝送リソースの使用を最適化する。パケットモードは、当初、リアルタイムでないサービス（遅延および／または厳密な優先順位の制約のないサービス）のために設計され、その後、例えばサービス品質管理メカニズムを含む付加的なメカニズムが導入されて、パケットモードが、例えば音声サービス等のリアルタイムサービス（遅延および／または厳密な優先順位の制約を有するサービス）をさらにサポートできるようにした。例えばＵＭＴＳの場合、パケットサービスのためのリアルタイム概念の導入が、「ｓｏｆｔ  ｈａｎｄｏｖｅｒ」の問題に対しても必要であり、この問題は、移動体が接続されるセルを制御する様々なノードＢにデータ送信時刻を提供することをＲＮＣに課すものである。こうした送信時刻は、無線フレームの番号として与えられ、従って、ＲＮＣとノードＢとの間のデータ伝送のために許可される最大遅延を限定する。例えば、パワー制御および無線許可制御の有効性を理由として、この最大遅延値を過度に大きくすることはできない。
【００１６】
ＵＴＲＡＮで使用されているトランスポート技術の一つは、セルと呼ばれる固定サイズの小型パケットの非同期時分割多重化に基づいた、ＡＴＭ（Ａｓｙｎｃｈｒｏｎｏｕｓ  Ｔｒａｎｓｆｅｒ  Ｍｏｄｅ）技術である。ＡＴＭ技術は規格化の対象とされており、さらに詳しい情報については、対応する規格化組織が発行する対応規格を参照されたい。ここでは、単に、ＡＴＭネットワークが、ＡＴＭ層と呼ばれる層と、ＡＴＭ層とユーザとの間のＡＴＭアダプテーション層（ＡＴＭ  Ａｄａｐｔａｔｉｏｎ  Ｌａｙｅｒ）と呼ばれる層とを用いて、モデル化可能であることに言及するに留める。ＡＴＭ層は、接続指向であり、受信元と受信先との間の論理接続でセルの伝送を行う。この論理接続は、仮想チャネルすなわちＶＣ（Ｖｉｒｔｕａｌ  Ｃｈａｎｎｅｌ）とも呼ばれる。ＵＴＲＡＮ内部でトランスポートにＡＴＭ技術を適用するために、ＡＡＬ２層と呼ばれる特別な層であるＡＡＬ層が、ユーザデータ用に使用される。ＵＥがＵＴＲＡＮと通信する場合、対応する論理接続、すなわちＡＡＬ２接続が、ＵＴＲＡＮの関与する一つまたは複数の地上インターフェースで設定される。ＡＴＭ技術の場合、トランスポートサービス品質を管理するメカニズムは、例えば、接続許可制御（保証されたサービス品質を尊重しながら、新しいＡＡＬ２接続要求を受けるのに伝送リソースが十分であるかどうか決定する）と、仮想チャネルＶＣの内部で、たとえば優先順位に応じてＡＡＬ２接続を多重化するための待ち行列化手段（ｓｃｈｅｄｕｌｌｉｎｇ）とを含む。
【００１７】
例えばＩＰ（Ｉｎｔｅｒｎｅｔ  Ｐｒｏｔｏｃｏｌ）技術等のトランスポートネットワークでは、ＡＴＭ以外の技術を使用できる。ＩＰ技術は同じく規格化の対象とされており、さらに詳しい情報については、対応する規格化組織が発行する対応規格を参照することができる。同様に、ＩＰ技術の場合、トランスポートサービス品質管理を可能にするメカニズムを設けることができる。
【００１８】
本発明は、特にトランスポートに関連するサービス品質の管理に関し、また、特に、ＵＴＲＡＮにおける関与するネットワークエレメントが、このサービス品質管理の実施に必要なサービス品質の制約を決定することができるメカニズムに関する。こうした知識がない場合、あるいは知識が不十分な場合、サービス品質管理を最適化できず、その結果、ユーザにとって許容できないサービス品質の劣化が生じる可能性がある。
【００１９】
ＳＲＮＣは、ＲＡＮＡＰプロトコルに従ってＣＮから知らされるＲＡＢ（Ｒａｄｉｏ  Ａｃｃｅｓｓ  Ｂｅａｒｅｒ）パラメータから、ダウンリンク方向でＩｕｂインターフェースによりノードＢに（またはＩｕｒインターフェースによりＤＲＮＣに）、このＵＥ用のユーザデータを伝送するために、どのタイプのサービスがＵＥに必要であるか、従って、トランスポートネットワークでどのサービス品質を使用すべきか決定できる。
【００２０】
しかしながら、問題は、アップリンク方向でＩｕｂインターフェースにより（またはアップリンク方向でＩｕｒインターフェースにより、および／またはダウンリンク方向でＩｕｂインターフェースにより）ＵＥにユーザデータを伝送するために、ノードＢ（またはＤＲＮＣ）が、トランスポートネットワークでどのサービス品質を使用すべきかを知ることにある。
【００２１】
この問題を解決するための第一の解決方法は、次の通りである。ＡＴＭ技術を使用するトランスポートネットワークの場合、トランスポートネットワーク層に関する信号は、ＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）プロトコルを含む。これは、例えば、ＩＴＵ（Ｉｎｔｅｒｎａｔｉｏｎａｌ  Ｔｅｌｅｃｏｍｍｕｎｉｃａｔｉｏｎ  Ｕｎｉｏｎ）が発行する技術仕様書ＩＴＵ−Ｔ  Ｑ．２３６０−１およびＩＴＵ−Ｔ  Ｑ．２３６０−２に規定されている通りであり、また、規格３ＧＰＰの連続バージョン、すなわち、それぞれバージョンＲ９９（技術仕様書ＩＴＵ−Ｔ  Ｑ．２３６０−１）およびバージョンＲ４、次いでＲ５（ＩＴＵ−Ｔ  Ｑ．２３６０−２）に対応する。技術仕様書ＩＴＵ−Ｔ  Ｑ．２３６０−２は、サービスのタイプに応じて、「ｓｔｒｉｎｇｅｎｔ」、「ｔｏｌｅｒａｎｔ」、および「ｓｔｒｉｎｇｅｎｔ  ｂｉ−ｌｅｖｅｌ」といった３つの値の一つを取ることができる、「ＡＡＬ  ｔｙｐｅ  ２  Ｒｅｑｕｅｓｔｅｄ  ｔｙｐｅ  ｐａｔｈ」と呼ばれるサービス品質パラメータを規定している。このパラメータは、ＣＲＮＣ（またはＳＲＮＣ）によりノードＢ（またはＤＲＮＣ）に伝送され、ノードＢ（またはＤＲＮＣ）は、これらの３個の値により規定された限度内で、アップリンク方向にＩｕｂインターフェースにより（またはアップリンク伝送方向およびダウンリンク伝送方向にＩｕｒインターフェースにより）、ユーザデータ伝送に適用可能なサービス品質の制約を決定することができる。
【００２２】
しかし、この第一の解決方法は、規格３ＧＰＰのバージョンＲ４にしか適用できない。この第一の解決方法は、トランスポートネットワークがＩＰ技術を使用する場合、バージョンＲ９９の場合にも、バージョンＲ５の場合にも適用不能である。例えば現行規格では、ＩＰ技術を用いるトランスポートネットワークの場合、トランスポートネットワーク層に関連する信号は、ノードＢ（またはＤＲＮＣ）が、アップリンク方向にＩｕｂインターフェースにより（またはアップリンク伝送方向にＩｕｒインターフェースにより、および／またはダウンリンク伝送方向にＩｕｂインターフェースにより）、ユーザデータを伝送するために、トランスポートネットワークでどのサービス品質を使用すべきか分からないように構成されている。さらに、上記のような、「ＡＡＬ  ｔｙｐｅ  Ｒｅｑｕｅｓｔｅｄ  ｔｙｐｅ  ｐａｔｈ」パラメータに対する３つの値は、必ずしも、利用可能である各種サービスの十分な区別を可能にしないので、必ずしもサービス品質管理メカニズムの実施を最適化することができない。
【００２３】
この問題を解決する第二の解決方法は、次の通りである。規格のバージョンＲ９９に対して、規格化された解決方法がない場合、ノードＢ（またはＤＲＮＣ）における「所有」メカニズムを使用して、各タイプのサービスに対して、Ｉｕｂ（またはＩｕｒ）インターフェースでトランスポートの優先順位を構成することが可能である。たとえば、ノードＢ（またはＤＲＮＣ）は、ＡＬＣＡＰプロトコルに従ってＣＲＮＣ（またはＳＲＮＣ）から伝送されるパラメータにより、どの接続が音声サービスに結合されるか決定し、こうした音声サービスに高いトランスポートサービス品質を割り当て、またその逆に、他のタイプのサービス（たとえばＷｅｂブラウジング（Ｗｅｂ  ｂｒｏｗｓｉｎｇ」、ｆｔｐ、専用信号、テレビ電話など）に結合される接続に、低いトランスポートサービス品質を割り当てることができる。
【００２４】
だが、この第二の解決方法を適用できるのは、ノードＢ（またはＤＲＮＣ）およびＣＲＮＣ（またはＳＲＮＣ）が、同一のメーカーによるものである場合に限られる。第二の解決方法は、これらのネットワークエレメントが異なるメーカーによるものである場合は、適用不能である。
【００２５】
本発明は、この問題を解消するために別の方法を用いる。本発明は、特に、次のような考え方に基づいている。上記の技術仕様書３ＧＰＰ  ＴＳ  ２３．１０７に特に規定されたような、転送遅延（ｔｒａｎｓｆｅｒ  ｄｅｌａｙ）、および／またはトラフィック優先制御（ｔｒａｆｆｉｃ  ｈａｎｄｌｉｎｇ  ｐｒｉｏｒｉｔｙ）等を示すパラメータのような、幾つかのサービス品質パラメータは、このようなネットワークの内部で、サービス品質、例えば、トランスポートサービス品質を保証するのに非常に重要である。ところで、このようなパラメータは、既に、無線アクセスに関連するサービス品質管理に使用されている。しかし、現行規格では、前述のように、無線アクセスに関連するサービス品質管理のためにこのようなサービス品質パラメータを知ることが、依然として、主にＳＲＮＣレベルに特定されている。実際、先に述べたように、ＳＲＮＣは、（ＲＡＮＡＰプロトコルに従って）ＣＮにより知らされたＲＡＢ（Ｒａｄｉｏ  Ａｃｃｅｓｓ  Ｂｅａｒｅｒ）パラメータから、どのタイプのサービスがＵＥに必要であるか決定することができる。その場合、ＳＲＮＣは、これらのパラメータを、必要であれば一つまたは複数のＤＲＮＣを介して、ノードＢとＵＥとの間の無線リンクの設定に使用可能なパラメータに翻訳し、次いで、ノードＢ（ＮＢＡＰプロトコルによる）、ＤＲＮＣ（ＲＮＳＡＰプロトコルによる）など、関与するネットワークエレメントにこれらのパラメータを知らせる。こうしたパラメータは、ノードＢとＵＥとの間で無線リンクを設定するために、トランスポートフォーマットパラメータまたはＴＦＣＳ（Ｔｒａｎｓｐｏｒｔ  Ｆｏｒｍａｔ  Ｃｏｍｂｉｎａｔｉｏｎ  Ｓｅｔ）といったパラメータを含み、また、必要であれば、共通または共有トランスポートチャンネルでＤＲＮＣによる多重化のために、トラフィック分類（ｔｒａｆｆｉｃ  ｃｌａｓｓ）およびトラフィック優先制御（ｔｒａｆｆｉｃ  ｈａｎｄｌｉｎｇ  ｐｒｉｏｒｉｔｙ）等のパラメータを含む。
【００２６】
しかし、現行規格では、このようなトランスポートフォーマットパラメータの信号が、一般に、トランスポートネットワーク層のためのサービス品質の制約を示すことはできず、また、トラフィック分類およびトラフィック優先制御のこのような信号は、Ｉｕｒインターフェースでのみ（Ｉｕｂインターフェースでは実施不能）で実施され、共通または共有トランスポートチャンネルの場合のみ（専用チャンネルの場合は実施不能）実施される。しかも、このような信号は、少なくとも転送遅延という観点から、トランスポートネットワーク層に対してサービス品質の制約を示すことができない。特に、このような信号は、様々な「会話型」分類の中で、短い転送遅延を必要とするサービス（特に電話サービス）と、もっと長い転送遅延を許容できるサービス（たとえばテレビ電話サービスなど）とを区別することができない。
【００２７】
【特許文献１】国際公開第０１／８６９７４号パンフレット
【特許文献２】米国特許出願公開第２００２／０９３９２５号明細書
【非特許文献１】技術仕様書３ＧＰＰ  ＴＳ３４．１０８
【非特許文献２】技術仕様書３ＧＰＰ  ＴＳ２３．１０７
【非特許文献３】技術仕様書３ＧＰＰ  ＴＳ２５．４１３
【非特許文献４】技術仕様書３ＧＰＰ  ＴＳ２５．４３３
【非特許文献５】技術仕様書３ＧＰＰ  ＴＳ２５．４２３
【非特許文献６】技術仕様書ＩＴＵ−Ｔ  Ｑ．２３６０−１
【非特許文献７】技術仕様書ＩＴＵ−Ｔ  Ｑ．２３６０−２
【非特許文献８】技術仕様書３ＧＰＰ  ＴＳ２５．４０２
【非特許文献９】技術仕様書３ＧＰＰ  ＴＳ２５．４２５
【非特許文献１０】技術仕様書３ＧＰＰ  ＴＳ２５．４２７
【非特許文献１１】技術仕様書３ＧＰＰ  ＴＳ  ２５．４３５
【発明の開示】
【発明が解決しようとする課題】
【００２８】
本発明は、特に、こうした問題の全部または一部を解消し、かつ／または、前述の様々な不都合の全部または一部を回避することを目的とする。本発明は、また、ＵＴＲＡＮの関与するネットワークエレメントが、このサービス品質の管理に必要なトランスポートサービス品質の制約を決定することを可能にする様々なメカニズムを提案することを目的とする。一般に、本発明は、これらのシステムにおけるサービス品質の管理を改善および／または簡略化することを目的とする。
【課題を解決するための手段】
【００２９】
本発明の一つの態様は、移動無線ネットワークにおけるサービス品質の管理方法にあって、地上インターフェースにおける通信プロトコルが、無線ネットワーク層と、トランスポートネットワーク層とを含み、サービス品質の管理が、無線ネットワーク層に関連するサービス品質の管理と、トランスポートネットワーク層に関連するサービス品質の管理とを含んでおり、前記方法は、
第一のネットワークエレメントが、第二のネットワークエレメントに、無線ネットワーク層の信号プロトコルにより、トランスポートサービス品質、すなわちトランスポートネットワーク層のためのサービス品質を示す少なくとも一つのパラメータを知らせるステップと、
第二のネットワークエレメントが、トランスポートサービス品質の管理のために前記少なくとも一つのパラメータを用いるステップとを含む。
【００３０】
別の特徴によれば、前記第一のネットワークエレメントが、ＣＲＮＣ（Ｃｏｎｔｒｏｌｌｉｎｇ  Ｒａｄｉｏ  Ｎｅｔｗｏｒｋ  Ｃｏｎｔｒｏｌｌｅｒ）である。
【００３１】
別の特徴によれば、前記第二のネットワークエレメントが、ノードＢ、すなわち基地局である。
【００３２】
別の特徴によれば、前記無線ネットワーク層の信号プロトコルが、ＣＲＮＣとノードＢとの間のＩｕｂインターフェースに適用可能なＮＢＡＰ信号プロトコルである。
【００３３】
別の特徴によれば、前記第二のネットワークエレメントが、アップリンク伝送のために、ＣＲＮＣとノードＢとの間のＩｕｂインターフェースで、前記少なくとも一つのトランスポートサービス品質の管理パラメータを使用する。
【００３４】
別の特徴によれば、前記第一のネットワークエレメントが、ＳＲＮＣ（Ｓｅｒｖｉｎｇ  Ｒａｄｉｏ  Ｎｅｔｗｏｒｋ  Ｃｏｎｔｒｏｌｌｅｒ）である。
【００３５】
別の特徴によれば、前記第二のネットワークエレメントが、ＤＲＮＣ（Ｄｒｉｆｔ  Ｒａｄｉｏ  Ｎｅｔｗｏｒｋ  Ｃｏｎｔｒｏｌｌｅｒ）である。
【００３６】
別の特徴によれば、前記無線ネットワーク層の信号プロトコルが、ＳＲＮＣとＤＲＮＣとの間のＩｕｂインターフェースに適用可能なＲＮＳＡＰ信号プロトコルである。
【００３７】
別の特徴によれば、前記第二のネットワークエレメントが、アップリンク伝送のためにＳＲＮＣとＤＲＮＣとの間のＩｕｒインターフェースで、および／またはダウンリンク伝送のためにＤＲＮＣとノードＢとの間のＩｕｂインターフェースで、前記少なくとも一つのトランスポートサービス品質の管理パラメータを使用する。
【００３８】
別の特徴によれば、前記トランスポートサービス品質を示す少なくとも一つのパラメータが、トランスポートサービス品質レベルを示すように構成された特定のパラメータに対応する。
【００３９】
別の特徴によれば、トランスポートサービス品質を示す少なくとも一つのパラメータが、トランスポートサービス品質のパラメータとして同様に使用可能な、少なくとも一つのＲＡＢ（Ｒａｄｉｏ  Ａｃｃｅｓｓ  Ｂｅａｒｅｒ）パラメータに対応する。
【００４０】
別の特徴によれば、前記トランスポートサービス品質パラメータとして同様に使用可能な少なくとも一つのＲＡＢ（Ｒａｄｉｏ  Ａｃｃｅｓｓ  Ｂｅａｒｅｒ）パラメータが、転送遅延である。
【００４１】
別の特徴によれば、前記トランスポートサービス品質パラメータとして同様に使用可能な少なくとも一つのＲＡＢ（Ｒａｄｉｏ  Ａｃｃｅｓｓ  Ｂｅａｒｅｒ）パラメータが、トラフィック優先制御である。
【００４２】
別の特徴によれば、前記トランスポートサービス品質パラメータとして同様に使用可能な少なくとも一つのＲＡＢ（Ｒａｄｉｏ  Ａｃｃｅｓｓ  Ｂｅａｒｅｒ）パラメータが、トラフィック分類である。
【００４３】
別の特徴によれば、前記トランスポートサービス品質パラメータとして同様に使用可能な少なくとも一つのＲＡＢ（Ｒａｄｉｏ  Ａｃｃｅｓｓ  Ｂｅａｒｅｒ）パラメータが、ＲＡＮＡＰプロトコルからＮＢＡＰプロトコルへ、またはＲＡＮＡＰプロトコルからＲＮＳＡＰプロトコルへ、コピーまたは翻訳される。
【００４４】
別の特徴によれば、前記トランスポートサービス品質を示す少なくとも一つのパラメータが、トランスポートサービス品質レベルに、またはトランスポートサービス品質パラメータとして同様に使用可能な少なくとも一つのＲＡＢ（Ｒａｄｉｏ  Ａｃｃｅｓｓ  Ｂｅａｒｅｒ）パラメータに、結合可能な少なくとも一つのパラメータである。
【００４５】
別の特徴によれば、前記トランスポートサービス品質レベルに、またはトランスポートサービス品質パラメータとして同様に使用可能な少なくとも一つのＲＡＢ（Ｒａｄｉｏ  Ａｃｃｅｓｓ  Ｂｅａｒｅｒ）パラメータに、結合可能な前記少なくとも一つのパラメータが、時間調整パラメータであり、この時間調整パラメータの最低値は、転送遅延および／またはトラフィック優先制御の制約が最も大きい接続に割り当てられ、この時間調整パラメータの最高値は、転送遅延および／またはトラフィック優先制御の制約が最も大きい接続に割り当てられる。
【００４６】
別の特徴によれば、前記時間調整パラメータが、ＴＯＡＷＳ（Ｔｉｍｅ  Ｏｆ  Ａｒｒｉｖａｌ  Ｗｉｎｄｏｗ  Ｓｔａｒｔ）パラメータである。
【００４７】
別の特徴によれば、トランスポートサービス品質レベルに、またはトランスポートサービス品質パラメータとして同様に使用可能な少なくとも一つのＲＡＢ（Ｒａｄｉｏ  Ａｃｃｅｓｓ  Ｂｅａｒｅｒ）パラメータに、結合可能な前記少なくとも一つのパラメータが、一つの接続に割り当てられる専用チャンネル（ＤＣＨ、Ｄｅｄｉｃａｔｅｄ  Ｃｈａｎｎｅｌ）数を示す少なくとも一つのパラメータを含み、数の多い専用チャンネルが、転送遅延および／またはトラフィック優先制御の制約の多い接続に割り当てられ、数の少ない専用チャンネルが、転送遅延および／またはトラフィック優先制御の制約の少ない接続に割り当てられる。
【００４８】
本発明の別の目的は、このような方法の実施手段を含むネットワークエレメントにある。
【００４９】
別の特徴によれば、前記ネットワークエレメントがＣＲＮＣである。
【００５０】
別の特徴によれば、前記ネットワークエレメントがＳＲＮＣである。
【００５１】
別の特徴によれば、前記ネットワークエレメントがＤＲＮＣである。
【００５２】
別の特徴によれば、前記ネットワークエレメントがノードＢである。
【００５３】
本発明の他の目的および特徴は、添付図面に関してなされた実施形態の以下の説明を読めば明らかになるであろう。
【００５４】
以下、本発明の様々な実施形態について説明する。
【発明を実施するための最良の形態】
【００５５】
第一の実施形態では、ＮＢＡＰプロトコルに従ってＣＲＮＣからノードＢに（またはＲＮＳＡＰプロトコルに従ってＳＲＮＣからＤＲＮＣに）伝送される一つまたは複数の信号メッセージに、一つまたは複数の新しいパラメータを導入可能である。こうした一つまたは複数の新しいパラメータによって、ＣＲＮＣ（またはＳＲＮＣ）は、一定のタイプのサービス（例えば、遅延および／または優先制御の制約が多いサービスタイプ）に高レベルのトランスポートサービス品質を割り当て、他のタイプのサービス（特に、遅延および／または優先制御の制約がそれほど厳しくないサービスタイプ）に低いレベルのトランスポートサービス品質を割り当てることができる。例えば、高レベルのトランスポートサービス品質を音声サービスに割り当て、低レベルのトランスポートサービス品質を他のタイプのサービスに割り当て可能である。同様に、サービスタイプの十分な区別、すなわち、サービス品質の最適管理を可能にするのに十分な数の、中間レベルのサービス品質を設けることができる。例えば、この一つまたは複数の新しいパラメータは、ＮＢＡＰプロトコルに従ってＣＲＮＣからノードＢに（またはＲＮＳＡＰプロトコルに従ってＳＲＮＣからＤＲＮＣに）伝送されるメッセージ「Ｒａｄｉｏ  Ｌｉｎｋ  Ｓｅｔｕｐ  Ｒｅｑｕｅｓｔ」等のメッセージで伝送可能である。
【００５６】
第二の実施形態では、サービスタイプごとにトランスポートサービス品質パラメータの値を示すように構成された一つまたは複数の新しいパラメータを、ＮＢＡＰプロトコルに従ってＣＲＮＣからノードＢに（またはＲＮＳＡＰプロトコルに従ってＳＲＮＣからＤＲＮＣに）伝送される一つまたは複数の信号メッセージに導入可能である。例えば、こうした一つまたは複数の新しいパラメータは、ＲＡＮＡＰプロトコルに従ってＳＲＮＣに伝送されるＲＡＢ（Ｒａｄｉｏ  Ａｃｃｅｓｓ  Ｂｅａｒｅｒ）パラメータから得られることができる。ＲＡＮＡＰプロトコルは、ＣＮからＳＲＮＣへの次のようなＲＡＢパラメータの伝送を含む。すなわち、トラフィック分類（ｔｒａｆｆｉｃ  ｃｌａｓｓ）、「会話型」またはストリーミング型分類のサービスのための転送遅延（ｔｒａｎｓｆｅｒｄｅｌａｙ）、「対話型」分類サービスのための優先制御（ｔｒａｆｆｉｃ  ｈａｎｄｌｉｎｇ  ｐｒｉｏｒｉｔｙ）である。
【００５７】
例えば、この一つまたは複数の新しいパラメータは、ＲＡＮＡＰプロトコルからＮＢＡＰプロトコルにコピー（または翻訳）可能な、「ｔｒａｆｆｉｃ  ｃｌａｓｓ」、「ｔｒａｎｓｆｅｒ  ｄｅｌａｙ」、および「ｔｒａｆｆｉｃ  ｈａｎｄｌｉｎｇ  ｐｒｉｏｒｉｔｙ」）といった一つまたは複数のパラメータに対応可能であり、あるいは、ＲＡＮＡＰプロトコルからＲＮＳＡＰプロトコルにコピー（または翻訳）可能な、「ｔｒａｎｓｆｅｒ  ｄｅｌａｙ」および「ｔｒａｆｆｉｃ  ｈａｎｄｌｉｎｇ  ｐｒｉｏｒｉｔｙ」といった一つまたは複数のパラメータに対応可能である（「ｔｒａｆｆｉｃ  ｃｌａｓｓ」パラメータは、既に、ＲＡＮＡＰプロトコルからＲＮＳＡＰプロトコルにコピーされている）。
【００５８】
例えば、この一つまたは複数の新しいパラメータは、ＮＢＡＰプロトコルに従ってＣＲＮＣからノードＢに（またはＲＮＳＡＰプロトコルに従ってＳＲＮＣからＤＲＮＣに）伝送されるメッセージ「Ｒａｄｉｏ  Ｌｉｎｋ  Ｓｅｔｕｐ  Ｒｅｑｕｅｓｔ」等のメッセージで伝送可能である。
【００５９】
第三の実施形態では、ノードＢ（またはＤＲＮＣ）が、ＮＢＡＰプロトコル（またはＲＮＳＡＰプロトコル）に従ってノードＢ（またはＤＲＮＣ）に伝えられる既存の一つまたは複数のパラメータを使用可能であり、一定のサービスタイプ（例えば、遅延および／または優先制御の制約が厳しいサービスタイプ）に高レベルのトランスポートサービス品質を割り当て、他のサービスタイプ（特に、遅延および／または優先制御がそれほど厳しくないサービスタイプ）にそれよりも低いレベルのトランスポートサービス品質を割り当てることができる。
【００６０】
このような既存のパラメータで考えられる第一の例は、例えば技術仕様書３ＧＰＰ  ＴＳ２５．４０２で規定されているＴＯＡＷＳ（Ｔｉｍｅ  Ｏｆ  Ａｒｒｉｖａｌ  Ｗｉｎｄｏｗ  Ｓｔａｒｔ）パラメータである。地上インターフェースでユーザデータを転送する場合、例えば技術仕様書３ＧＰＰ  ＴＳ２５．４２５、３ＧＰＰ  ＴＳ２５．４２７、および３ＧＰＰ  ＴＳ  ２５．４３５で規定されているような、「Ｆｒａｍｅ  Ｐｒｏｔｏｃｏｌ」と呼ばれる特別なプロトコルが使用される。これらのプロトコルは、フレームフォーマットに従ったデータ構造と、例えばＴＯＡＷＳパラメータを含む時間調整機能および同期機能とを提供している。より詳しくは、ＲＮＣから伝送されるフレームがノードＢに到着する時刻が入っている受信窓を規定する。受信窓は、窓の終了時（ＴＯＡＷＥ、Ｔｉｍｅ  Ｏｆ  Ａｒｒｉｖａｌ  Ｗｉｎｄｏｗ  Ｅｎｄ）に対して規定される窓の開始時（ＴＯＡＷＳ、Ｔｉｍｅ  Ｏｆ  Ａｒｒｉｖａｌ  Ｗｉｎｄｏｗ  Ｓｔａｒｔ）により規定される。窓の終了時は、それ自体が、到着限界時刻（ＬＴＯＡ、Ｌａｔｅｓｔ  Ｔｉｍｅ  Ｏｆ  Ａｒｒｉｖａｌ）に対して規定される。フレームの到着時刻がＴＯＡＷＳの前にあるか、またはＴＯＡＷＥの後にある場合、ノードＢはＲＮＣに時間調整を要求する。その目的は、ノードＢが、所定の時刻に無線インターフェースで再送するのに適切な時間内に、すなわち、このような再送前に必要な処理を実施可能にするのに十分に早く、しかしながら待ち時間がないように早すぎることなく、フレームを受信することにある。こうした受信窓は、無線リンク設定ごとにノードＢに構成される。かくして、ＳＲＮＣ（またはＣＲＮＣ）はノードＢ（またはＤＲＮＣ）に、例えば「Ｒａｄｉｏ  Ｌｉｎｋ  Ｓｅｔｕｐ  Ｒｅｑｕｅｓｔ」メッセージ等の、ＮＢＡＰプロトコル（またはＲＮＳＡＰプロトコル）に従って様々なメッセージで、ＴＯＡＷＥおよびＴＯＡＷＳの値を知らせる。
【００６１】
本発明の一つの態様によれば、このようにして、ＣＲＮＣ（またはＳＲＮＣ）は、例えば、高レベルのトランスポートサービス品質を有する接続に最も小さいＴＯＡＷＳ値を割り当てることができ、その場合、ノードＢ（またはＤＲＮＣ）は、トランスポートサービス品質の管理のためにこれらのＴＯＡＷＳ値を使用可能である。換言すれば、ＴＯＡＷＳパラメータ等の時間調整パラメータは、トランスポートサービス品質のレベルか、またはトランスポートサービス品質パラメータとして使用可能な少なくとも一つのＲＡＢパラメータに結合可能である場合、トランスポートサービス品質を示すものとみなすことができる。ＣＲＮＣ（またはＳＲＮＣ）は、たとえば、高レベルのトランスポートサービス品質を有する接続（例えば音声サービス用の接続等）に、１０ｍｓのＴＯＡＷＳ値を割り当て、あるいは、もっと低いレベルのトランスポートサービス品質を有する接続に、それよりも高いＴＯＡＷＳ値を割り当てて、例えばＮＢＡＰ（またはＲＮＳＡＰ）の「Ｒａｄｉｏ  Ｌｉｎｋ  Ｓｅｔｕｐ  Ｒｅｑｕｅｓｔ」メッセージで、この値をノードＢ（またはＤＲＮＣ）に知らせることができる。ノードＢ（またはＤＲＮＣ）は、その場合、最小ＴＯＡＷＳ値を有する接続に高レベルのトランスポートサービス品質を割り当て、あるいは、もっと高いＴＯＡＷＳ値を有する接続に、もっと低いトランスポートサービス品質レベルを割り当てる。
【００６２】
このような既存のパラメータの第二の例は、一つの接続に割り当てられる専用チャンネル（またはＤＣＨ、Ｄｅｄｉｃａｔｅｄ  Ｃｈａｎｎｅｌ）の数である。知られているように、ＣＲＮＣ（またはＳＲＮＣ）は、高レベルのトランスポートサービス品質を有する接続（例えば音声サービス用の接続等）に複数のＤＣＨチャンネルを割り当て、あるいは、それよりも低いレベルのトランスポートサービス品質を有する他のタイプの接続に、１個のＤＣＨチャンネルを割り当てることができる。たとえば、ＡＭＲ（Ａｄａｐｔｉｖｅ  Ｍｕｌｔｉ−Ｒａｔｅ）符号化を使用する音声の場合、分類Ａと呼ばれるビット用に１個、分類Ｂと呼ばれるビット用に１個、分類Ｃと呼ばれるビット用に１個の、３個の異なるトランスポートチャンネルを一般に使用している。この３つのビット分類は、ビットの異なる重要性レベルに対応している。また、たとえば技術仕様書３ＧＰＰ  ＴＳ３４．１０８を参照することができる。ＣＲＮＣ（またはＳＲＮＣ）は、例えば、ＮＢＡＰ（またはＲＮＳＡＰ）の「Ｒａｄｉｏ  Ｌｉｎｋ  Ｓｅｔｕｐ  Ｒｅｑｕｅｓｔ」）メッセージで、ノードＢ（またはＤＲＮＣ）にこの専用チャンネル数を知らせることができる。
【００６３】
本発明の一つの特徴によれば、ノードＢ（またはＤＲＮＣ）は、その場合、例えば、割り当てられた３個のＤＣＨチャンネルを有する音声サービス用の接続等の接続に、高レベルのトランスポートサービス品質を割り当て、あるいは、割り当てられた単独ＤＣＨチャンネルを有する接続に、それよりも低いトランスポートサービス品質レベルを割り当てることができる。言い換えると、一つの接続に割り当てられた専用チャンネル数等のパラメータは、また、トランスポートサービス品質レベルか、または、トランスポートサービス品質パラメータとして使用可能な少なくとも一つのＲＡＢパラメータに結合可能である限り、同様にトランスポートサービス品質を示すパラメータとみなすことができる。
【００６４】
別の例によれば、ＳＲＮＣは、音声サービス用の接続に、「会話型」のトラフィック分類を割り当てるとともに、３個のＤＣＨチャンネルを割り当て、「会話型」分類の他のタイプのサービス（たとえばテレビ電話）用の接続に、「会話型」トラフィック分類を割り当てるとともに、単独のＤＣＨチャンネルを割り当て、他の接続に別のトラフィック分類を割り当てる。例えば「Ｒａｄｉｏ  Ｌｉｎｋ  Ｓｅｔｕｐ  Ｒｅｑｕｅｓｔ」メッセージで、例えばＤＲＮＣに、これらのパラメータを知らせる。その場合、ＤＲＮＣは、割り当てられた３個のＤＣＨチャンネルを有する「会話型」分類の接続に、高レベルのトランスポートサービス品質を割り当て、他の接続に、それよりも低いレベルのトランスポートサービス品質を割り当てることができる。
【００６５】
これらの様々な実施形態に共通に、ＣＲＮＣ（またはＳＲＮＣ）が、遅延および／または優先制御の制約が多いサービスタイプに結合される無線リンクを設定するたびに、ノードＢ（またはＤＲＮＣ）に、ＮＢＡＰプロトコル（またはＲＮＳＡＰプロトコル）により、この特定の無線リンクに結合されるトランスポート接続が、高レベルの（例えば遅延および／または優先制御の制約が多い）トランスポートサービス品質を有することを知らせる。その反対に、ＣＲＮＣ（またはＳＲＮＣ）が、それよりも低いレベルの（特に遅延および／または優先制御の制約が少ない）トランスポートサービス品質を有するサービスタイプに結合される無線リンクを設定するたびに、ノードＢ（またはＤＲＮＣ）に、ＮＢＡＰプロトコル（またはＲＮＳＡＰプロトコル）により、この特定の無線リンクに結合されるトランスポート接続が、それよりも低いレベルの（特に遅延および／または優先制御の制約が少ない）トランスポートサービス品質を有することを知らせる。
【００６６】
この情報を用いて、ノードＢ（またはＤＲＮＣ）は、アップリンク方向にＩｕｂインターフェースで（またはアップリンク方向にＩｕｒインターフェースで、および／またはダウンリンク方向にＩｕｂインターフェースで）、トランスポートサービス品質の管理メカニズムを実施し、ＣＲＮＣ（またはＳＲＮＣ）により示されたトランスポートサービス品質の制約、例えば遅延および／または優先制御の制約を満たすようにすることができる。その結果、音声サービス用の遅延の制約を満たすことが可能になる。
【００６７】
本発明は、また、本発明による方法の実施手段を含むネットワークエレメント（例えばＣＲＮＣ、ＳＲＮＣ、ＤＲＮＣ、またはノードＢ）を目的とする。
【００６８】
このような手段の特定の実施形態は、当業者にとって特に難しいものではないので、本明細書では、こうした手段の各機能についてこれ以上詳しく説明しない。
【図面の簡単な説明】
【００６９】
【図１】例えばＵＭＴＳ等の移動無線システムの一般的なアーキテクチャを示す図である。
【図２】ＣＲＮＣ、ＳＲＮＣ、ＤＲＮＣ等、ＲＮＣの考えられる様々な役割を示す図である。
【図３】ＣＲＮＣ、ＳＲＮＣ、ＤＲＮＣ等、ＲＮＣの考えられる様々な役割を示す図である。
【符号の説明】
【００７０】
１  無線アクセスネットワーク
２  基地局
３  基地局コントローラ
４  コアネットワーク
５  移動端末
６  Ｕｕインターフェース
７  ｌｕインターフェース
８  ｌｕｂインターフェース
９  ｌｕｒインターフェース
【図１】
2004254301.tif 000003
【図２】
2004254301.tif 000004
【図３】
2004254301.tif 000005
【外国語明細書】
2004254301.tif 000006
2004254301.tif 000007
2004254301.tif 000008
2004254301.tif 000009
2004254301.tif 000010
2004254301.tif 000011
2004254301.tif 000012
2004254301.tif 000013
2004254301.tif 000014
2004254301.tif 000015
2004254301.tif 000016
2004254301.tif 000017
2004254301.tif 000018
2004254301.tif 000019
2004254301.tif 000020
2004254301.tif 000021
2004254301.tif 000022
2004254301.tif 000023
2004254301.tif 000024
2004254301.tif 000025
2004254301.tif 000026
2004254301.tif 000027
2004254301.tif 000028
2004254301.tif 000029
2004254301.tif 000030
2004254301.tif 000031
2004254301.tif 000032